(57)【要約】【課題】建築資材の表面に付着した水が乾燥し易く、しかも建築資材の表面にカビや藻などが発生することを防ぐことができる建築設備を提供する【解決手段】表面が親水性処理された建築資材１と、抗菌成分を含有する抗菌液を建築資材１に噴射する噴射装置２とを備える。建築資材１の表面に付着した水を薄く膜状に濡れ広がらせて迅速に乾燥させることができ、また抗菌液を建築資材１に噴射して付着させることによって、抗菌液の抗菌作用で建築資材１の表面にカビや藻などが発生することを防ぐことができる。しかも親水性が高い建築資材１の表面を抗菌液が濡れ広がることによって、カビや藻などが発生することを防止する効果を高く得ることができる。【選択図】図１
2008274659.tif 000002
【特許請求の範囲】
【請求項１】
表面が親水性処理された建築資材と、抗菌成分を含有する抗菌液を建築資材に噴射する噴射装置とを備えて成ることを特徴とする建築設備。
【請求項２】
抗菌成分を含有する抗菌液が、抗菌成分としてアロマオイルを含有するアロマオイル液であることを特徴とする請求項１に記載の建築設備。
【請求項３】
噴射装置が、抗菌液をミスト状に噴霧する噴霧装置であることを特徴とする請求項１又は２に記載の建築設備。
【請求項４】
表面が親水性処理された浴室壁材で浴室の壁面を形成し、アロマオイルを含有するアロマオイル液をミスト状に噴霧する噴霧装置を浴室内に設けて成ることを特徴とする浴室設備。
【発明の詳細な説明】
【技術分野】
【０００１】
本発明は、浴室や屋根、外壁などの建築設備、及び浴室設備に関するものである。
【背景技術】
【０００２】
浴室壁材、屋根材、外壁材などの建築資材は、浴室、屋根、外壁など、水が直接作用する建築設備を造作するために使用されている。このような建築設備における建築資材には水が常に作用しているために表面が乾燥し難く、例えば浴室では建築資材の表面にカビが発生したり、屋根や外壁ではカビの他に藻が発生したりし易い。
【０００３】
そこで例えば浴室の場合、換気扇等の換気手段を設けて浴室壁材の表面の乾燥を促進したり（例えば特許文献１参照）、浴室壁材の表面を親水性に形成して、水の濡れ広がりによって乾燥し易くしたりすることが行なわれている（例えば特許文献２参照）。
【特許文献１】特開２００６−２９７５２号公報
【特許文献２】特開平１０−３１４２８０号公報
【発明の開示】
【発明が解決しようとする課題】
【０００４】
しかし、上記のように建築資材には常に水が作用するので、表面に付着した水が乾燥し易くなるようにするだけでは、カビの発生を防止したり、カビや藻の発生を防止したりする効果は不十分であるという問題があった。
【０００５】
本発明は上記の点に鑑みてなされたものであり、建築資材の表面に付着した水が乾燥し易く、しかも建築資材の表面にカビや藻などが発生することを防ぐことができる建築設備及び浴室を提供することを目的とするものである。
【課題を解決するための手段】
【０００６】
本発明の請求項１に係る建築設備は、表面が親水性処理された建築資材と、抗菌成分を含有する抗菌液を建築資材に噴射する噴射装置とを備えて成ることを特徴とするものである。
【０００７】
この発明によれば、建築資材の表面は親水性が高いために、建築資材の表面に付着した水を薄く膜状に濡れ広がらせて表面積を大きくすることができ、表面を迅速に乾燥させてカビや藻が発生し難くすることができるものである。また抗菌液を建築資材に噴射して付着させることによって、抗菌液の抗菌作用で建築資材の表面にカビや藻などが発生することを防ぐことができるものであり、しかも親水性が高い建築資材の表面を抗菌液が濡れ広がることによって、カビや藻などが発生することを防止する効果を高く得ることができるものである。
【０００８】
また請求項２の発明は、請求項１において、抗菌成分を含有する抗菌液が、抗菌成分としてアロマオイルを含有するアロマオイル液であることを特徴とするものである。
【０００９】
この発明によれば、アロマオイルは人体に悪影響を与えることがないものであり、アロマオイルの抗菌作用で建築資材の表面にカビや藻などが発生することを防ぐことができるものである。
【００１０】
また請求項３の発明は、請求項１又は２において、噴射装置が、抗菌液をミスト状に噴霧する噴霧装置であることを特徴とするものである。
【００１１】
この発明によれば、抗菌液をミスト状にして建築資材の表面の隅々にまで付着させることができ、建築資材の表面にカビや藻などが発生することを防ぐ効果を高く得ることができるものである。
【００１２】
本発明の請求項４に係る浴室は、表面が親水性処理された浴室壁材で浴室の壁面を形成し、アロマオイルを含有するアロマオイル液をミスト状に噴霧する噴霧装置を浴室内に設けて成ることを特徴とするものである。
【００１３】
この発明によれば、浴室の壁面に水がかかったり結露水が付着したりしても、親水性の高い表面によって水を薄く膜状に濡れ広がらせて表面積大きくすることができ、壁面の表面を迅速に乾燥させてカビなどが発生し難くすることができるものである。またアロマオイル液のミストを浴室の壁面に噴霧して付着させることによって、アロマオイルの抗菌作用で浴室壁面の表面にカビなどが発生することを防ぐことができるものであり、しかも親水性が高い浴室壁面の表面をアロマオイルが濡れ広がることによって、カビなどが発生することを防止する効果を高く得ることができるものである。さらにアロマオイルの芳香による癒し作用で、入浴効果を高めることができるものである。
【発明の効果】
【００１４】
本発明によれば、建築資材の表面は親水性が高いために、建築資材の表面に付着した水を薄く膜状に濡れ広がらせて表面積を大きくすることができ、表面を迅速に乾燥させてカビや藻が発生し難くすることができるものである。また抗菌液を建築資材に噴射して付着させることによって、抗菌液の抗菌作用で建築資材の表面にカビや藻などが発生することを防ぐことができるものであり、しかも親水性が高い建築資材の表面を抗菌液が濡れ広がることによって、カビや藻などが発生することを防止する効果を高く得ることができるものである。
【発明を実施するための最良の形態】
【００１５】
以下、本発明を実施するための最良の形態を説明する。
【００１６】
建築資材は、浴室壁材、屋根材、外壁材などとして用いられるものであり、表面には親水性処理が施してある。親水性処理は、例えば、酸化チタンや酸化亜鉛などの光触媒をシリコン系樹脂に配合した塗料を建築資材の表面に塗装することによって、行なうことができる。
【００１７】
本発明の実施の形態を、建築資材１が浴室壁材１ａであり、建築設備が浴室である場合について説明する。図１に示すように、浴室の出入り口を除く壁面は浴室壁材１ａで形成してあり、浴室壁材１ａは親水性処理をした表面が浴室内側を向くように配置してある。図１において１０は洗い場、１１は浴槽、１２は蛇口である。また浴室内において壁面には噴射装置２として噴霧装置２ａが設けてある。
【００１８】
この噴霧装置２ａとしては、水の温ミストを浴室内に噴霧して、浴室内でミストサウナを行なうことができるようにしたものをそのまま利用することができるものである。そして本発明では、この噴霧装置２ａから抗菌成分を含有する抗菌液のミストを噴霧することができるようにしてある。抗菌成分は特に限定されるものではないが、この抗菌とは、本来の抗菌性の他に、抗黴性、抗藻性などを含む概念である。
【００１９】
そして浴室に関する本実施の形態において、抗菌成分としてアロマオイル（植物精油）を用いるのが好ましい。アロマオイルとしては、特に制限されることはないが、例えばティーリトリー、月桃オイル、桧オイル、ユーカリオイルなどを用いることができる。一般の抗菌剤は人体にも悪影響を及ぼすおそれがあるものが多いが、アロマオイルは人体に悪影響を与えないので、安全に使用することができるものである。これらのアロマオイルを水等に溶解したアロマオイル液を噴霧装置２ａから噴霧して、アロマオイルのミストを浴室内に散布するようにしてある。
【００２０】
上記のように形成される浴室にあって、浴室の壁面は表面が親水性処理された浴室壁材１ａで形成してあるので、壁面に水がかかったり結露水が付着したりしても、親水性の高い表面によって水を薄く膜状に濡れ広がらせて表面積大きくすることができるものであり、壁面の表面を迅速に乾燥させて、浴室の壁面にカビが発生し難くすることができるものである。
【００２１】
また、噴霧装置２ａからアロマオイル液のミストを浴室内に噴霧すると、アロマオイルのミストが壁面に付着する。浴室の壁面の表面が上記のように乾燥し易いだけでは、カビの発生を完全に防ぐことは難しいが、アロマオイルは抗菌作用を有するので、このようにアロマオイルのミストを浴室の壁面に付着させることによって、この抗菌作用で浴室の壁面の表面にカビなどが発生することを確実に防ぐことができるものである。また、アロマオイルのミストは細かく、浴室内を浮遊して壁面に付着するので、浴室の壁面の隅々にまで付着させることができるものであり、壁面の隅々にまでカビが発生することを防ぐことができるものである。ここで、アロマオイルのミストを浴室の壁面に付着させるにあたって、ミストの水滴の範囲しかアロマオイルの抗菌作用は発揮されないが、浴室の壁面は表面を親水性処理した浴室壁材１ａで形成してあるので、浴室の壁面に付着したアロマオイルの水滴は親水性の高い表面を濡れ広がるものであり、壁面の全面をアロマオイルの膜で覆って、浴室の壁面の全面においてカビなどが発生することを防止する効果を高く得ることができるものである。従って、少ないアロマオイルの量で、広い面積でのカビの発生を防止する効果を得ることもできるものである。さらにアロマオイルには芳香による癒し作用があるので、入浴しながら噴霧装置２ａからアロマオイルのミストを浴室内に噴霧することによって、入浴効果を高めることができるものである。
【００２２】
上記の実施の形態では、建築資材１が浴室壁材１ａであり、建築設備が浴室である場合について説明したが、建築資材１としては浴室壁材１ａに限られるものではなく、屋根材や外壁材などであってもよい。図２は建築資材１が屋根材１ｂであり、建築設備が屋根である場合の実施の形態を示すものであり、親水性処理をした表面を上側にして屋根材１ｂを葺き並べることによって屋根が形成してある。また棟瓦１４の両側に噴射装置２が設けてある。この噴射装置２としては抗菌液の水滴をスプレーするスプレー装置２ｂを用いることができるものであり、また抗菌液の抗菌成分としては、上記のようなアロマオイルの他に、銀系などの一般的な抗菌剤を用いることもできる。
【００２３】
そしてこのものにあって、スプレー装置２ｂから抗菌液を噴射すると、抗菌液の水滴が屋根材１ｂの表面に付着し、抗菌液による抗菌作用で、屋根材１ｂの表面にカビや藻などが発生することを防ぐことができるものである。また屋根材１ｂの表面は親水性処理してあるので、屋根材１ｂの表面に付着した抗菌剤の水滴は親水性の高い表面を濡れ広がるものであり、屋根材１ｂの全面を抗菌剤の膜で覆って、屋根材１ｂの全面においてカビや藻などが発生することを防止する効果を高く得ることができるものである。従って、少ない抗菌剤の量で、広い面積でのカビや藻などが発生することを防止する効果を得ることもできるものである。
【００２４】
図３は建築資材１が外壁材１ｃであり、建築設備が外壁である場合の実施の形態を示すものであり、親水性処理をした表面を屋外側にして外壁材１ｃを張り並べることによって外壁が形成してある。また外壁の見切りの上側の軒１５の下に噴射装置２が外壁材１ｃに向けて設けてある。この噴射装置２としては抗菌液の水滴をスプレーするスプレー装置２ｂを用いることができるものであり、また抗菌液の抗菌成分としては、上記のようなアロマオイルの他に、銀系などの一般的な抗菌剤を用いることもできる。
【００２５】
そしてこのものにあって、スプレー装置２ｂから抗菌液を噴射すると、抗菌液の水滴が外壁材１ｃの表面に付着し、抗菌液による抗菌作用で、外壁材１ｃの表面にカビや藻などが発生することを防ぐことができるものである。また外壁材１ｃの表面は親水性処理してあるので、外壁材１ｃの表面に付着した抗菌剤の水滴は親水性の高い表面を濡れ広がるものであり、外壁材１ｃの全面を抗菌剤の膜で覆って、外壁材１ｃの全面においてカビや藻などが発生することを防止する効果を高く得ることができるものである。従って、少ない抗菌剤の量で、広い面積でのカビや藻などが発生することを防止する効果を得ることもできるものである。
【図面の簡単な説明】
【００２６】
【図１】本発明の実施の形態の一例を示す概略斜視図である。
【図２】本発明の他の実施の形態の一例を示す概略図である。
【図３】本発明の他の実施の形態の一例を示す概略図である。
【符号の説明】
【００２７】
１  建築資材
１ａ  浴室壁材
１ｂ  屋根材
１ｃ  外壁材
２  噴射装置
２ａ  噴霧装置
２ｂ  スプレー装置
【図１】
2008274659.tif 000003
【図２】
2008274659.tif 000004
【図３】
2008274659.tif 000005